(57)【要約】【課題】再生装置と接続する際の手動による入力感度の誤設定を防止する音声信号増幅装置等を提供する。【解決手段】本願の音声信号増幅装置１０は、音声信号を再生する再生装置２と接続される音声信号増幅装置１０において、再生装置２から入力される音声信号にＤＣ成分が重畳されているか否かを検出するＤＣ成分検出手段１４と、前記ＤＣ成分の有無にしたがって入力感度を設定し、設定された前記入力感度に応じて前記音声信号を信号処理する入力感度設定手段１６と、前記信号処理された音声信号を増幅する音声信号増幅手段１８と、を備えている。【選択図】図２
2009224835.tif 000002
【特許請求の範囲】
【請求項１】
音声信号を再生する再生装置と接続される音声信号増幅装置において、
前記再生装置から入力される前記音声信号にＤＣ成分が重畳されているか否かを検出するＤＣ成分検出手段と、
前記ＤＣ成分の有無にしたがって入力感度を設定し、その入力感度に応じて前記音声信号を信号処理する入力感度設定手段と、
前記信号処理された音声信号を増幅する音声信号増幅手段と、
を備えていることを特徴とする音声信号増幅装置。
【請求項２】
前記ＤＣ成分検出手段によりＤＣ成分が検出された場合には、前記ＤＣ成分にしたがって音声信号を出力制御する制御手段を更に備えていることを特徴とする請求項１に記載の音声信号増幅装置。
【請求項３】
前記制御手段は、前記ＤＣ成分が検出された場合には、入力された前記音声信号を減衰させた後に前記音声信号増幅手段に入力させることを特徴とする請求項２に記載の音声信号増幅装置。
【請求項４】
前記制御手段は、前記検出されたＤＣ成分に含まれるＤＣ電圧を用いて起動信号を出力することを特徴とする請求項２または３に記載の音声信号増幅装置。
【請求項５】
音声信号を再生する再生装置から入力される前記音声信号にＤＣ成分が重畳されているか否かを検出するＤＣ成分検出工程と、
前記ＤＣ成分の有無にしたがって入力感度を設定し、設定された前記入力感度に応じて前記音声信号を信号処理する入力感度設定工程と、
前記信号処理された音声信号を増幅する音声信号増幅工程と、
を備えていることを特徴とする音声信号増幅方法。
【請求項６】
コンピュータによって音声信号を再生する再生装置から入力される音声信号を増幅する音声信号増幅プログラムにおいて、
前記コンピュータを、
前記音声信号にＤＣ成分が重畳されているか否かを検出するＤＣ成分検出手段、
前記ＤＣ成分の有無にしたがって入力感度を設定し、設定された前記入力感度に応じて前記音声信号を信号処理する入力感度設定手段、及び
前記信号処理された音声信号を増幅する音声信号増幅手段、
として機能させることを特徴とする音声信号増幅プログラム。
【発明の詳細な説明】
【技術分野】
【０００１】
本願は、音声信号を増幅して出力する音声信号増幅装置等の技術分野に関する。
【背景技術】
【０００２】
図３及び図４に示すように、従来から音声信号を増幅して出力するアンプ１０ａが知られている。当該アンプ１０ａは、音声データが記録された光学媒体などを再生する再生装置２から出力される音声信号の出力レベルを高めるために用いられる。
【０００３】
再生装置２は、例えば、ＲＣＡ出力端子３、スピーカ出力端子４、及び再生装置２の起動信号を出力する外部制御出力端子５が設けられている。
【０００４】
一方、アンプ１０ａは、例えば、再生装置２のＲＣＡ出力端子３と接続されるＲＣＡ入力端子１２、再生装置２のスピーカ出力端子４と接続されるスピーカ入力端子１９、及び再生装置２の外部制御出力端子５とケーブルを介して接続されるリモート端子１３が設けられている。当該アンプ１０ａは、再生装置２からケーブルを介してＲＣＡ入力端子１２、又はスピーカ入力端子１９に入力される音声信号を、手動の感度切替スイッチ１５を介して入力感度を切り替えて、入力感度設定部４０で当該音声信号のゲイン調整を行い、又はゲイン調整せずに、増幅器１８で当該音声信号を増幅し、出力端子１７を介してスピーカ２０に増幅した音声信号を入力する。
【０００５】
当該再生装置２とアンプ１０ａとを接続する際には、再生装置２のＲＣＡ出力端子３を用いる場合とスピーカ出力端子４を用いる場合でアンプ１０ａの入力感度の設定処理が異なる。
【０００６】
図３に示すように、ＲＣＡ出力端子３を用いる場合は、再生装置２のＲＣＡ出力端子３とアンプ１０ａのＲＣＡ入力端子１２とを所定のケーブルを介して電気的に接続し、且つ、アンプ１０ａを再生装置２と同期させて起動させるために、再生装置２の外部制御端子５とアンプ１０ａのリモート端子１３とを所定のケーブルを介して電気的に接続する。このような場合には、一般的にアンプ１０ａの入力感度は高感度に設定されているため、手動にて感度切替スイッチ１５を切り替える必要はない。
【０００７】
一方、図４に示すように、スピーカ出力端子４を用いる場合は、再生装置２のスピーカ出力端子４とアンプ１０ａのスピーカ入力端子１９とを所定のケーブルを介して電気的に接続し、且つ、アンプ１０ａを再生装置２と同期させて起動させるために、再生装置２の外部制御端子５とアンプ１０ａのリモート端子１３とを所定のケーブルを介して電気的に接続する。このような場合には、スピーカ出力端子４から出力する際のゲインとアンプ１０ａのゲインとを合わせるために、アンプ１０ａ側の感度切替スイッチ１５を手動にて切り替えてアンプ１０ａの入力感度を低感度にする必要がある。
【０００８】
このように、従来の再生装置とアンプの接続時には、アンプと接続される再生装置の各出力端子に応じて、アンプの入力感度を手動で切り替える必要がある。
【０００９】
なお、単に利得を自動で切り替える技術は多数存在する（例えば、特許文献１参照）。
【００１０】
【特許文献１】特開２００６−３１１０３３号公報
【発明の開示】
【発明が解決しようとする課題】
【００１１】
しかしながら、ユーザが、例えば、再生装置のＲＣＡ出力端子を用いる場合に、間違えて感度切替スイッチを操作し、アンプの入力感度を低感度に設定した時には、Ｓ／Ｎ比が悪化するとともに所定の出力レベルを得られない。
【００１２】
一方、再生装置のスピーカ出力端子を用いる場合に、間違えて感度切替スイッチを操作し、アンプの入力感度を高感度に設定した場合には、小さな入力信号でも出力信号が歪んでしまうという問題があった。
【００１３】
そこで、本発明は上記不便さを課題の一例として為されたもので、再生装置と接続する際の手動による入力感度の誤設定を防止する音声信号増幅装置等を提供することを目的とする。
【課題を解決するための手段】
【００１４】
上記課題を解決するために、請求項１に記載の音声信号増幅装置は、音声信号を再生する再生装置と接続される音声信号増幅装置において、前記再生装置から入力される前記音声信号にＤＣ成分が重畳されているか否かを検出するＤＣ成分検出手段と、前記ＤＣ成分の有無にしたがって入力感度を設定し、設定された前記入力感度に応じて前記音声信号を信号処理する入力感度設定手段と、前記信号処理された音声信号を増幅する音声信号増幅手段と、を備えていることを特徴とする。
【００１５】
また、請求項５に記載の音声信号増幅方法は、音声信号を再生する再生装置から入力される前記音声信号にＤＣ成分が重畳されているか否かを検出するＤＣ成分検出工程と、前記ＤＣ成分の有無にしたがって入力感度を設定し、設定された前記入力感度に応じて前記音声信号を信号処理する入力感度設定工程と、前記信号処理された音声信号を増幅する音声信号増幅工程と、を備えていることを特徴とする。
【００１６】
また、請求項６に記載の音声信号増幅プログラムは、コンピュータによって音声信号を再生する再生装置から入力される音声信号を増幅する音声信号増幅プログラムにおいて、前記コンピュータを、前記音声信号にＤＣ成分が重畳されているか否かを検出するＤＣ成分検出手段、前記ＤＣ成分の有無にしたがって入力感度を設定し、設定された前記入力感度に応じて前記音声信号を信号処理する入力感度設定手段、及び前記信号処理された音声信号を増幅する音声信号増幅手段、として機能させることを特徴とする。
【発明を実施するための最良の形態】
【００１７】
以下、各実施形態について図１及び図２を用いて説明する。本実施形態の音声信号増幅装置１０は、一例として、車載用の再生装置２と接続されるアンプに適用可能である。図１はＲＣＡ出力端子を用いた場合の音声信号増幅装置の構成図、図２はスピーカ出力端子を用いた場合の音声信号増幅装置の構成図である。
【００１８】
本実施形態における音声信号増幅装置１０は、車載用の再生装置２と接続される。
【００１９】
再生装置２は、例えば、ＣＤ等の情報記録媒体に所定のフォーマットで記録されている音声信号からなる音声データ（曲）を再生するものであって、当該フォーマットごとに当該音声信号の音声信号レベルをＤＳＰ(Digital Signal Processor)、イコライザー、電子ボリュームなどを用いて調整して再生する。この再生装置２は、音声信号を出力するための出力端子として、ＲＣＡ出力端子３とスピーカ出力端子４を備えている。また、音声信号増幅装置１０を再生装置２と同期させて起動させるための起動信号を出力する外部制御出力端子５を備えている。
【００２０】
なお、ＲＣＡ出力端子３から出力される音声信号には、音声信号のみが出力され、スピーカ出力端子４から出力される音声信号には、ＤＣ成分が重畳されて出力されているものとする。
【００２１】
一方、音声信号増幅装置１０は、再生装置２と接続され、当該再生装置２から出力される音声信号を増幅し、増幅した音声信号をスピーカ２０に入力するものである。
【００２２】
音声信号増幅装置１０は、音声信号を入力するＲＣＡ入力端子１２や音声信号を出力する出力端子１７を備え、当該出力端子１７はスピーカ２０と所定のケーブルにより電気的に接続される。また、音声信号増幅装置１０は、再生装置２の外部制御出力端子５と所定のケーブルを介して接続されるリモート端子１３を備えている。
【００２３】
また、音声信号増幅装置１０は、ＲＣＡ入力端子１２から入力される音声信号にＤＣ成分が重畳されているか否かを検出するＤＣ検出回路１４と、ＤＣ成分の有無によって入力感度の設定を切り替える感度切替スイッチ１５と、ＤＣ成分の有無によって入力感度を設定し、その入力感度に応じて前記音声信号を信号処理する入力感度設定部１６と、前記音声信号を増幅する増幅器１８と、を備えている。
【００２４】
これらＤＣ検出回路１４、入力感度設定部１６、及び増幅器１８は、図示しない制御部と接続される。当該制御部は、例えば、ＣＰＵ（Central Processing Unit）、ＲＡＭ（Random Access Memory）、ＲＯＭ（Read Only Memory）等を備え、当該ＣＰＵが、ＲＯＭなどに記憶された音声信号増幅処理用プログラム等の各種プログラムを読み出し実行することにより、音声信号増幅装置１０内の各部を統括制御するものである。この音声信号増幅処理用プログラムとは、入力される音声信号を増幅するために行われる処理プログラムである。
【００２５】
なお、本実施形態におけるＤＣ検出回路１４は、本願のＤＣ成分検出手段を構成し、本実施形態における入力感度設定部１６は、本願の入力感度設定手段を構成する。また、本実施形態における増幅器１８は、本願の音声信号増幅手段を構成し、本実施形態における制御部は、本願の制御手段を構成する。
【００２６】
ここで、再生装置２と音声信号増幅装置１０とを接続する際に、再生装置２のＲＣＡ出力端子３を用いる場合と、スピーカ出力端子４を用いる場合と、に分けてその構成と動作の説明を行う。
【００２７】
ＲＣＡ出力端子３を用いる場合には、再生装置２のＲＣＡ出力端子３と音声信号増幅装置１０のＲＣＡ入力端子１２とを電気的に接続する。また、音声信号増幅装置１０を再生装置２と同期させて起動させるために、再生装置２の外部制御端子５と音声信号増幅装置１０のリモート端子１３とを電気的に接続する。
【００２８】
このようなＲＣＡ出力端子３を用いて再生装置２と接続された音声信号増幅装置１０において、再生装置２からＲＣＡ入力端子１２に音声信号が入力されると、ＤＣ検出回路１４では、音声信号にＤＣ成分が重畳されているか否かが検出され、感度切替スイッチ１５によってＤＣ成分の有無に基づいて入力感度の設定が切り替えられる。再生装置２のＲＣＡ出力端子３から出力される音声信号にはＤＣ成分は重畳されていないため、入力感度は高感度に設定される。この設定により、音声信号は入力回路を介して増幅器１８に入力されて、当該音声信号が増幅される。また、再生装置２の外部制御出力端子５からリモート端子１３に入力される起動信号によって再生装置２から音声信号増幅装置１０の起動が制御され、増幅器１８によって増幅された音声信号が、出力端子１７を介してスピーカ２０に入力される。
【００２９】
一方、スピーカ出力端子４を用いる場合には、再生装置２のスピーカ出力端子４と音声信号増幅装置１０のＲＣＡ入力端子１２とを電気的に接続する。
【００３０】
このようなスピーカ出力端子４を用いて再生装置２と接続された音声信号増幅装置１０において、再生装置２からＲＣＡ入力端子１２に音声信号が入力されると、ＤＣ検出回路１４では、音声信号にＤＣ成分が重畳されているか否かが検出され、感度切替スイッチ１５によってＤＣ成分の有無に基づいて入力感度の設定が切り替えられる。再生装置２のスピーカ出力端子４から出力される音声信号にはＤＣ成分が重畳されているため、入力感度は低感度に設定される。この設定により、音声信号は、例えば、アッテネータ（ＡＴＴ回路）を用いてゲインが調整（音声信号が減衰）され、その後、入力回路を介して増幅器１８に入力されて、当該音声信号が増幅される。また、ＤＣ検出回路１４によって検出されたＤＣ電圧を用いて音声信号増幅装置１０の起動が制御され、増幅器１８によって増幅された音声信号は、出力端子１７を介してスピーカ２０に入力される。具体的には、制御部の制御のもと、ＤＣ検出回路１４がＤＣ成分の検出を受けてＤＣ成分に含まれるＤＣ電圧によって起動信号をリモート端子１３に出力する。
【００３１】
以上に示すように、本実施形態の音声信号増幅装置１０は、音声信号を再生する再生装置２と接続され、前記再生装置２から音声信号を入力するＲＣＡ入力端子１２と、前記音声信号にＤＣ成分が重畳されているか否かを検出するＤＣ成分検出回路１４と、前記ＤＣ成分の有無にしたがって入力感度を設定し、その入力感度に応じて前記音声信号を信号処理する入力感度設定部１６と、前記音声信号を増幅する増幅器１８と、増幅した前記音声信号を出力する出力端子１７と、を備えている。
【００３２】
このように音声信号増幅装置１０は、再生装置２のスピーカ出力端子４から出力される音声信号に重畳されるＤＣ成分に着目して、そのＤＣ成分の有無によって入力感度の設定を自動的に切り替えるものである。
【００３３】
したがって、端子同士の接続状態によって、入力感度が自動設定されるため、ユーザによる誤操作による音声信号の出力レベル不良を防止できる。また、端子の接続状態に応じて入力感度が自動設定されるため、ユーザは何の知識ももたずに単に端子同士を接続すれば良いので簡単である。また、自動設定された入力感度に応じて音声信号が信号処理されるので、一定の出力レベルで音声信号を増幅することができる。
【００３４】
また、ＤＣ成分検出回路１４によりＤＣ成分が検出された場合には、前記ＤＣ成分にしたがって音声信号を出力制御するようになっている。
【００３５】
このようにすれば、ＤＣ成分に含まれるＤＣ電圧によって音声信号増幅装置１０の起動を制御するため、再生装置２の外部制御出力端子５と音声信号増幅装置１０のリモート端子１３とを電気的に接続する必要がなくなり、作業の簡易化が図れる。
【００３６】
なお、本願の音声信号増幅装置は、再生装置を含む電子機器に適用することが可能である。
【図面の簡単な説明】
【００３７】
【図１】ＲＣＡ出力端子を用いた場合の音声信号増幅装置の構成図である。
【図２】スピーカ出力端子を用いた場合の音声信号増幅装置の構成図である。
【図３】ＲＣＡ出力端子を用いた場合の従来の音声信号増幅装置の構成図である。
【図４】スピーカ出力端子を用いた場合の従来の音声信号増幅装置の構成図である。
【符号の説明】
【００３８】
２  再生装置
１０  音声信号増幅装置
１４  ＤＣ検出回路
１６  入力感度設定部
１８  増幅器
【図１】
2009224835.tif 000003
【図２】
2009224835.tif 000004
【図３】
2009224835.tif 000005
【図４】
2009224835.tif 000006